【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
電気化学セルを含むバッテリであって、
前記電気化学セルが、
内側表面を有する基板と、
前記内側表面のある部分を覆う第１の電気化学層と、
前記内側表面の他の部分を覆い、前記第１の電気化学層に隣接した第２の電気化学層と、
カルボキシメチルセルロースを含むポリマー濃厚剤を含み、前記第１の電気化学層および前記第２の電気化学層の両方を実質的に覆い、それらと電気的接触状態にある電解質層と、
前記電解質層を覆い、前記基板に束縛されて前記電解質層を前記セルの内部に密封するためのポーチを形成する被覆層とを含むバッテリ。
【請求項２】
前記基板が、それ自体の上に折り曲げられて前記被覆層を形成するシート材料から構成され、前記内側表面が、それ自体に束縛されて前記ポーチを形成する、請求項１に記載のバッテリ。
【請求項３】
前記第１の電気化学層および前記第２の電気化学層が重ならない、請求項１に記載のバッテリ。
【請求項４】
互いに電気的に接続され、前記基板を共用する複数の前記電気化学セルをさらに含む、請求項１に記載のバッテリ。
【請求項５】
前記シート材料が、複数の積層された層を含む、請求項１に記載のバッテリ。
【請求項６】
前記複数の積層された層が、一体化バリアおよび／または熱シール層を有する構造層を含む、請求項５に記載のバッテリ。
【請求項７】
前記複数の積層された層が、
ポリマー・フィルムおよび／または熱シールコーティングを含む内部層と、
バリア・ポリマーを含む高湿度バリア層と、
前記内部層を前記高湿度バリア層に接続するための第１の接着層と、
配向ポリエステルを含む外部構造層と、
前記高湿度バリア層を前記外部構造層に接続するための第２の接着層とを含む、請求項５に記載のバッテリ。
【請求項８】
前記複数の積層された層が、金属化層を含む、請求項５に記載のバッテリ。
【請求項９】
前記第１の電気化学層が、硬化されたおよび／または乾燥されたインクから構成される、請求項１に記載のバッテリ。
【請求項１０】
前記インクが、二酸化マンガン、炭素、ＮｉＯＯＨ、酸化銀Ａｇ２Ｏおよび／またはＡｇＯ、ＨｇＯ、空気セルの形での酸素Ｏ２、および酸化バナジウムＶＯ２から選択される１または複数を含む、請求項９に記載のバッテリ。
【請求項１１】
前記第２の電気化学層が、前記基板に積層されたストリップ材料から構成される、請求項９に記載のバッテリ。
【請求項１２】
前記第２の電気化学層が、硬化されたおよび／または乾燥されたインクから構成される、請求項９に記載のバッテリ。
【請求項１３】
前記インクが、亜鉛、ニッケル、カドミウム、ＡＢ２タイプおよびＡＢ３タイプの金属水素化物、鉄およびＦｅＳ２から選択される１または複数を含む、請求項１２に記載のバッテリ。
【請求項１４】
前記バッテリが、電子応用回路に接続し、それによって単位セルの使用を可能にするための直列および／または並列接続部を含む、請求項１に記載のバッテリ。
【請求項１５】
前記電解質が、塩化亜鉛、塩化アンモニウム、酢酸亜鉛、臭化亜鉛、ヨウ化亜鉛、酒石酸亜鉛、過塩化亜鉛、水酸化カリウムおよび水酸化ナトリウムから選択される１または複数を含む、請求項１に記載のバッテリ。
【請求項１６】
前記第１の電気化学層および前記第２の電気化学層の一方または両方が、コロナおよび／またはプラズマによる処理を介して改変されている、請求項１に記載のバッテリ。
【請求項１７】
前記第１の電気化学層が、９５０，０００グラム／モルを超える高分子量の種類のポリマー・バインダを有するインクを含む、請求項１に記載のバッテリ。
【請求項１８】
前記第１の電気化学層が、ポリビニルピロリドン、ポリビニル・アルコール、糊、改質糊、エチルセルロース、ヒドロキシエチル・セルロース、メチルセルロース、ポリエチレン・オキシド、ポリアクリルアミドおよびテフロンから選択される１または複数を含むポリマー・バインダを有するインクを含む、請求項１に記載のバッテリ。
【請求項１９】
前記電解質層が、約０〜０．８％（重量）のカルボキシメチルセルロース（ＣＭＣ）を有した、塩化亜鉛が約２３〜３２％（重量）の水性溶剤を含む、請求項１に記載のバッテリ。
【請求項２０】
前記電解質層が、さらにセパレータを含む、請求項１９に記載のバッテリ。
【請求項２１】
前記電解質層が、約０〜０．８％（重量）のカルボキシメチルセルロース（ＣＭＣ）を有する、酢酸亜鉛が約２３〜３２％（重量）の水性溶剤を含む、請求項１に記載のバッテリ。
【請求項２２】
電気化学セルを製造する方法であって、
電解質、ウェブの一部分および前記一部分の内側表面上の印刷層を含んだ電気化学セルを、ポーチ・フィラー機械によって組み立てるステップと、
前記ウェブ部分からポーチを形成するステップであって、前記ポーチが、開口した上部縁部および３つの密封されるサイドを有する、ステップと、
前記ウェブから前記ポーチを切断するステップと、
前記セルに前記電解質を加えるために、前記ポーチを搬送して電解質充填ステーションを通過させるステップと、
前記ポーチの前記上部縁部を密封して、前記セルを形成するステップとを含む、電気化学セルの製造方法。
【請求項２３】
前記密封が、熱による密封を含む、請求項２２に記載の電気化学セルの製造方法。
【請求項２４】
前記電解質が、ポリマー濃厚剤を含む、請求項２２に記載の電気化学セルの製造方法。
【請求項２５】
前記ポリマー濃厚剤が、カルボキシメチルセルロースを含む、請求項２４に記載の電気化学セルの製造方法。
【請求項２６】
前記電気化学セルが、さらにセパレータ層を含み、
前記方法が、前記ポーチの形成後、前記セパレータ層を挿入するために前記ウェブをセパレータ挿入ステーションを通過させるステップをさらに含む、請求項２２に記載の電気化学セルの製造方法。
【請求項２７】
前記ポーチ・フィラー機械が、
巻き戻しステーションと、
前記ウェブを送り水平円筒管を通過させることによって前記ウェブをその中心で折り曲げ、次いで、前記ウェブを送り、前記ウェブの２つの前記上部縁部を位置合わせするガイド冶具を通過させ、それによって前記印刷層を保護し、およびそれによって前記ウェブから前記ポーチの底部縁部を形成し、次いで、折り曲げ部に折り目を付けるために、折り曲げられた前記ウェブを送り、狭いギャップを有する２つの垂直バーを通過させる、専用ウェブ折り曲げおよびガイド・ステーションとを含む、請求項２２に記載の電気化学セルの製造方法。
【請求項２８】
前記ポーチの前記上部縁部を密封する前に、前記ポーチから捕捉空気を除去するために、前記ポーチを搬送して捕捉空気除去ステーションを通過させるステップをさらに含む、請求項２２に記載の電気化学セルの製造方法。
【請求項２９】
内側表面を有する基板と、
前記内側表面の第１の部分を覆う印刷コレクタであって、前記コレクタが、主要部分および前記内側表面の縁部に向けて伸びる拡張部分を有する、印刷コレクタと、
前記コレクタの前記拡張部分を部分的に覆う印刷金属性コンタクトと、
前記内側表面を部分的に覆い、前記コレクタを部分的に覆う印刷感熱性接着剤と、
前記コレクタの前記主要部分の少なくとも一部分を覆う印刷される第１の電極と、
前記内側表面の第２の部分を覆って前記コレクタに隣接しており、主要部分および前記内側表面の前記縁部に向けて伸びる拡張部分を有する第２の電極と、
前記第１の電極を実質的に覆い、前記第２の電極の前記主要部分を実質的に覆うセパレータ／電解質層と、
前記コレクタ、前記第１の電極、前記第２の電極の前記主要部分、前記セパレータ／電解質層および前記基板のすべてを覆う内側表面を有する被覆層であって、前記被覆層が、前記コンタクトへアクセスするための第１のコンタクトホールを有し、また前記第２の電極の前記拡張部分へアクセスするための第２のコンタクトホールを有する、被覆層とを含み、
前記被覆層の一部分が、前記接着剤を使用して前記内側表面の一部分へ密封され、
前記被覆層が、前記コレクタの前記拡張部分および前記第２の電極の前記拡張部分の上でやはり密封され、それによって密封されたポーチを形成し、
前記第１のコンタクトホールが、前記第１の電極への電気的アクセスをもたらし、
前記第２のコンタクトホールが、前記第２の電極への電気的アクセスをもたらす、電気化学セル。
【請求項３０】
前記基板が、それ自体の上に折り曲げられて前記被覆層を形成するシート材料から構成され、
前記内側表面が、それ自体に束縛されて前記ポーチを形成する、請求項２９に記載の電気化学セル。
【請求項３１】
前記シート材料が、複数の積層された層を含む、請求項３０に記載の電気化学セル。
【請求項３２】
前記複数の積層された層が、
ポリマー・フィルムおよび／または熱シールコーティングを含む内部層と、
ポリマーを含む高湿度バリア層と、
前記内部層を前記高湿度バリア層に接続するための第１の接着層と、
配向ポリエステルを含む外部構造層と、
前記高湿度バリア層を前記外部構造層に接続するための第２の接着層とを含む、請求項３１に記載の電気化学セル。
【請求項３３】
前記セパレータ／電解質層が、糊被覆クラフト・ペーパおよび約０〜０．８％（重量）のカルボキシメチルセルロース（ＣＭＣ）を有する、塩化亜鉛が約２３〜３２％（重量）の水性溶剤を含む、請求項２９に記載の電気化学セル。
【請求項３４】
前記コレクタの拡張部分および前記第２の電極の拡張部分の上で密封される前記被覆層が、印刷可能な感熱性接着剤および／または加圧性接着剤によって全または部分的ピクチャ・フレーム・パターンで密封される、請求項２９に記載の電気化学セル。